(57)【要約】【課題】作業現場に工具が存在しない場合に容易に工具を用意することができるようにする。【解決手段】工具保管庫１４は、複数のフロアを有し各フロアに点検又は保守されるべき機器設備が配置されるとともに、フロア間を移動するエレベータ設備を有する建屋で用いられる。この工具保管庫は、前面側が開放され、点検又は保守で必要な工具が収納される筐体部１４ａと筐体部の前面側に開閉可能に配置された扉部１４ｂとを備える保管庫本体と、扉部に設けられ扉部をロックする錠前（ロック機構）１４ｃとを有しており、保管庫本体はエレベータ設備の乗りかご内に配設されている。【選択図】図１
2008179433.tif 000002
【特許請求の範囲】
【請求項１】
複数のフロアを有し各フロアに点検又は保守されるべき機器設備が配置されるとともに、フロア間を移動するエレベータ設備を有する建屋で用いられ、
前面側が開放され前記点検又は保守で必要な工具が収納される筐体部と、前記前面側に開閉可能に配置された扉部とを備える保管庫本体と、
前記扉部に設けられ前記扉部をロックするロック部とを有し、
前記保管庫本体は前記エレベータ設備の乗りかご内に配設されていることを特徴とする工具保管庫。
【請求項２】
前記保管庫本体は前記乗りかごのエレベータ扉側において、階数を指定する階数ボタン部が設けられた壁面と反対側の空きスペースに配置されていることを特徴とする請求項１記載の工具保管庫。
【請求項３】
前記ロック部は、前記扉部と前記筐体部とをロックするロック機構と、
前記扉部に設けられ暗証番号を入力するため暗証番号入力部と、
前記保管庫本体に設けられ前記暗証番号と予め登録された暗証番号とが一致すると前記ロック機構をアンロックする制御部とを有することを特徴とする請求項１又は２記載の工具保管庫。
【発明の詳細な説明】
【技術分野】
【０００１】
本発明は、各種工具類を保管するための工具保管庫に関し、特に、火力発電所等の保守作業現場に工具が存在しない場合に容易に工具を用意することのできる工具保管庫に関するものである。
【背景技術】
【０００２】
一般に、火力発電所（以下単に発電所と呼ぶ）等においては、種々の建屋が設けられており、これら建屋の各々には、例えば、複数の地下階及び複数の地上階（フロア）が設けられ、各階には各種機器及び配管等が配設されている。このため、一般に、建屋には各階に移動するためのエレベータ設備が備えられている。
【０００３】
また、火力発電所等においては、日常的に各種機器及び配管等の点検を行っており、この際工具を使用することがある。一般に現場で用いる工具は、現場毎に保管するか又は中央制御室等の特定の部屋で一括管理する工具箱に保管するようにしている。
【０００４】
一方、エレベータ設備の乗りかごにおいて、昇降路内機器の点検を容易に行えるとともに、工具類の収納も可能にするため、点検扉を開いて保守点検を行い、この点検扉の昇降路側の面に収納箱を設けて工具の収納スペースも確保して、収納箱内の工具を乗りかご内から出し入れできるようにしたものがある（例えば、特許文献１参照）。
【特許文献１】特開２００１−１０６４５９号公報
【発明の開示】
【発明が解決しようとする課題】
【０００５】
上述のように、工具を現場毎に配置する場合には、当該現場で使用するであろう工具のみを現場に配置すればよいから、現場毎に必要な工具を準備すればよく、使い勝手がよくなるものの、工具の紛失が起き易いという問題点がある。
【０００６】
一方、特定の部屋（部署）に備えられた工具箱に工具を保管する際には、工具の紛失という不都合は低減するものの、工具箱（工具保管庫）から工具を取り出しての現場まで持っていく必要がある。さらに、現場において、別に工具が必要となった際には、現場から特定の部屋に保管された工具箱まで工具を取りに行かなければならず、工具の取り扱いが極めて面倒である。
【０００７】
従って、本発明の目的は、作業現場に工具が存在しない場合に容易に工具を用意することができる工具保管庫を提供することにある。
【課題を解決するための手段】
【０００８】
上記の課題を解決するため、本発明による工具保管庫は、複数のフロアを有し各フロアに点検又は保守されるべき機器設備が配置されるとともに、フロア間を移動するエレベータ設備を有する建屋で用いられ、前面側が開放され前記点検又は保守で必要な工具が収納される筐体部と前記前面側に開閉可能に配置された扉部とを備える保管庫本体と、前記扉部に設けられ前記扉部をロックするロック部とを有し、前記保管庫本体は前記エレベータ設備の乗りかご内に配設されていることを特徴とするものである。
【０００９】
本発明の工具保管庫では、前記保管庫本体は、前記乗りかごのエレベータ扉側において、階数を指定する階数ボタン部が設けられた壁面と反対側の空きスペースに配置されている。
【００１０】
本発明による工具保管庫では、前記ロック部は、前記扉部と前記筐体部とをロックするロック機構と、前記扉部に設けられ暗証番号を入力するため暗証番号入力部と、前記保管庫本体に設けられ前記暗証番号と予め登録された暗証番号とが一致すると前記ロック機構をアンロックする制御部とを有している。
【発明の効果】
【００１１】
以上のように、本発明によれば、保管庫本体を建屋に備えられたエレベータ設備の乗りかご内に配設するようにしたので、工具が必要な現場（つまり、階（フロア））に乗りかごを呼び出せばよく、保守員は同一フロアを移動してエレベータホールまで行けば、必要な工具が入手できることになって、従来のように特定の部署まで工具を取りに行くという面倒を回避できることになる。また、工具保管庫にはロック部が備えられているから、工具の紛失も防ぐことができる。
【００１２】
本発明によれば、保管庫本体を乗りかごのエレベータ扉側において、階数を指定する階数ボタン部が設けられた壁面と反対側の空きスペースに配置するようにしたので、保管庫本体が、乗りかごに乗車する者の邪魔になることがない。
【発明を実施するための最良の形態】
【００１３】
次に、本発明の実施の形態による工具保管庫の一例について説明する。この工具保管庫は、例えば、火力発電所等（以下単に発電所と呼ぶ）に備えられ、日常点検等で必要な工具が保管されている。
【００１４】
前述したように、発電所においては、種々の建屋が設けられており、これら建屋は、例えば、複数の地下階及び複数の地上階（フロア）を有し、各階には、各種機器及び配管等（以下単に機器設備と呼ぶ）が配置されている。そして、各建屋には各階を移動するためのエレベータ設備が設けられている。
【００１５】
つまり、建屋の各階毎に現場が存在し、この現場において必要に応じて各種工具が用いられる。保守員又は作業員はエレベータ設備を用いて各階の現場に赴き、機器設備について日常点検等の点検を行う。
【００１６】
ここで、図１及び図２を参照して、図１はエレベータ設備の乗りかご内部の入口側（エレベータ扉側）を示す図であり、図２はエレベータ設備の乗りかご内部を上方から示す図である。図１に示すように、乗りかご１１の前面には扉（エレベータ扉）１２があり、図中エレベータ扉１２の右側に位置する壁には階数ボタン板１３が配置され、階数ボタン板１３の任意の階数ボタンを押すと、当該階数ボタンが点灯し、乗りかご１１はこの階数ボタンで規定される階に停止し、エレベータ扉が開く。
【００１７】
エレベータ扉１２の左側に位置する壁には工具保管庫１４が配設されている。具体的には、エレベータ扉１２の左端（符号”Ｅ”で示す）と乗りかご１１の左壁面（符号”Ｌ”で示す）との間に位置するスペース（空スペース）に工具保管庫１４が配設される。つまり、工具保管庫１４は乗りかご１１のエレベータ扉１２側において、階数を指定する階数ボタン板１３が設けられた壁面と反対側の空きスペースに配置されることになる。
【００１８】
工具保管庫１４の底面は乗りかご１１の床面に当接しており、工具保管庫１４の左側面は乗りかご１１の左壁面に当接している。そして、工具保管庫１４の背面は、エレベータ扉１２の左端Ｅと乗りかご１１の左壁面Ｌとによって規定された乗りかご１１の壁面に当接している。
【００１９】
工具保管庫１４は前面が開放された筐体部１４ａと筐体部１４ａの前面側に開閉可能に配設された扉部１４ｂとを有しており（筐体部１４ａと扉部１４ｂとによって保管庫本体が構成される）、工具保管庫１４には、発電所で日常的に使用する工具が収納されている。扉部１４ｂには錠前（ロック機構）１４ｃが備えられており、扉部１４ｂを開く際には、鍵（図示せず）によって錠前１４ｃを開錠する必要がある。
【００２０】
各保守員又は作業員（以下単に保守員と総称する）はそれぞれ鍵を持っており、日常点検中に工具が必要となると、つまり、現場で工具が必要となると、当該現場がある階でエレベータボタン（図示せず）を押す。これによって、乗りかご１１はエレベータボタンが押された階に上昇又は降下して、当該階で停止し、エレベータ扉１２を開く。
【００２１】
エレベータ扉１２が開くと、保守員は乗りかご１１に乗り込み、鍵を用いて工具保管庫１４の錠前１４ｃを開錠して、扉部１４ｂを開く。そして、工具保管庫１４から必要な工具を取り出した後、扉部１４ｂを閉めて錠前１４ｃに鍵を掛ける。なお、工具保管庫１４中に工具一覧表を備えて、工具保管庫１４から工具を取り出した際、この工具一覧表にチェックを入れるようにすることが望ましい。このようにすれば、どの工具が持ち出し中であるか容易に確認することができる。
【００２２】
保守員は工具を使用した後、当該現場がある階でエレベータボタンを押し、当該階にエレベータを停止させて、乗りかご１１に乗り込み、鍵を用いて工具保管庫１４を開いて、持ち出した工具を工具保管庫１４に戻す。この際、工具一覧表のチェックを消すようにする。
【００２３】
このようにして、エレベータの乗りかご１１内に工具保管庫１４を配設するようにすれば、工具が必要な現場（つまり、階）にエレベータを呼び出せばよく、保守員は同一階を移動してエレベータホールまで行けば、必要な工具が入手できることになって、従来のように特定の部署まで工具を取りに行くという面倒を回避できることになる。また、工具保管庫１４には錠前１４ｃが備えられているから、工具の紛失も防ぐことができる。
【００２４】
さらに、工具保管庫１４を乗りかご１１のエレベータ扉１２側において、階数を指定する階数ボタン板１３が設けられた壁面と反対側の空きスペースに配置するようにしたから、工具保管庫１４が乗りかご１１に乗車する者の邪魔になることがない。
【００２５】
なお、工具保管庫１４が邪魔とならない位置であれば、乗りかご１１の床面から話して、乗りかご１１の側壁面に配置するようにしてもよい。
【００２６】
上述の説明では、錠前と鍵とによって工具保管庫１４を開閉する例について説明したが、暗証番号を用いて工具保管庫１４を開閉するようにしてもよい。つまり、工具保管庫１４の扉部１４ｂにテンキー部（図示せず）を備えて、このテンキー部から暗証番号を入力すると、工具保管庫１４に備えられたＣＰＵ（制御部）が予め登録された暗証番号と暗証番号とが一致するか否かを判定して、一致すると開錠するようにしてもよい（ロック機構をアンロックする）。
【００２７】
さらに、発電所の中央監視室等で工具保管庫１４から持ち出された工具を遠隔的に監視するようにしてもよい。例えば、図３に示すように、工具保管庫１４内に工具保管庫１４に収納された工具の一覧を示す工具一覧ボタン部２１を配設して、保守員は工具保管庫１４の扉部１４ｂを開いて工具を持ち出す際、該当する工具に対応する工具選択ボタン（図示せず）を工具一覧ボタン部２１から選択して押す（これによって、例えば、工具ボタンが点灯する）。
【００２８】
一方、メモリ２２には、予め工具選択ボタンに対応付けて工具名が工具名情報として格納されており、ＣＰＵ２３は、選択された工具選択ボタンに対応する工具名情報をメモリ２２から読出し、通信装置（例えば、無線通信装置）２４を介して中央監視室２５に送る。
【００２９】
中央監視室２５においては、通信装置２６を介してコンピュータシステム（このコンピュータシステムは、例えば、発電所の運転状態を監視する際に用いられるコンピュータシステムである）２７で工具名情報を受け、この工具名情報を、例えば、可視的に表示部（パネル）２８上に表示する。これによって、いずれの工具が工具保管庫１４から持ち出し中であるか中央監視室２５で容易に把握することができる。
【００３０】
なお、工具保管庫に工具を戻した際には、再度該当する工具選択ボタンを押す（これによって、該当する工具選択ボタンは消灯する）。これによって、ＣＰＵ２３は当該工具選択ボタンに対応する工具の返却を示す工具返却情報を、通信装置２４を介して中央監視室２５に送る。中央監視室２５では、コンピュータシステム２７が通信装置２６を介して工具返却情報を受けると、この工具返却情報に応じて対応する工具名情報を表示部２８上から消す。
【００３１】
また、一つの建屋に複数のエレベータ設備がある際には、エレベータ設備（つまり、乗りかご）毎に工具保管庫１４を設けるようにしてもよい。この際には、乗りかご（つまり、工具保管庫１４）毎に当該工具保管庫を特定する特定コード（工具保管庫コード）を付与しておくことが望ましい。そして、工具名情報及び工具返却情報を送信する際、工具保管庫コードを付加すれば、コンピュータシステム２７では工具保管庫を特定できることになり、中央監視室においていずれの工具保管庫から工具が持ち出されたか容易に把握することができる。
【００３２】
さらに、複数の建屋についてエレベータ設備の乗りかごに工具保管庫１４を配設する際においても、同様に工具保管庫コードを付与しておけば、いずれの建屋のいずれの乗りかごに配設された工具保管庫１４であるか特定できることになる。
【図面の簡単な説明】
【００３３】
【図１】本発明の実施の形態による工具保管庫の一例を側面から示す図である。
【図２】本発明の実施の形態による工具保管庫の一例を上方から示す図である。
【図３】本発明の実施の形態による工具保管庫に収納された工具の持ち出しを遠隔的に監視するシステムの一例を示すブロック図である。
【符号の説明】
【００３４】
１１  乗りかご
１２  扉（エレベータ扉）
１３  階数ボタン板
１４  工具保管庫
１４ａ  筐体部
１４ｂ  扉部
１４ｃ  錠前（ロック機構）
２１  工具一覧ボタン部
２２  メモリ
２３  ＣＰＵ
２４，２６  通信装置
２５  中央監視室
２７  コンピュータシステム
２８  表示部（パネル）
【図１】
2008179433.tif 000003
【図２】
2008179433.tif 000004
【図３】
2008179433.tif 000005